(57)【要約】【課題】磁石をムーバに配置する方式のレンズ駆動装置において、並置された２つのムーバを板ばねで支持する構成を採用したとしても磁石の干渉が少ないレンズ駆動装置、カメラ装置、及び電子機器を提供する。【解決手段】レンズ駆動ユニット９は、第一ムーバ１１、第二ムーバ１２、枠体２０、第一位置検知用磁石５９１、第二位置検知用磁石、第一磁石５１、第二磁石５２、第一コイル６１、第二コイル６２、第一前側板ばね３１、第二前側板ばね３２、第一後側板ばね４１、及び第二後側板ばね４２を有する。第一磁石５１を構成する板状の磁石片５１１及び５１２、並びに第二磁石５２を構成する板状の磁石片５２１及び５２２は、それぞれ板面方向に磁化されているとともにその磁化の向きがＺ方向の前側と後側とで逆転している。【選択図】図１
2020177235.tif 000002
【特許請求の範囲】
【請求項１】
第一ムーバであって、Ｚ方向に光軸を有する第一レンズ体を収容するための第一貫通孔と、前記第一貫通孔を挟んだ位置で互いに平行に設けられる板状の一対の第一磁石と、を有する第一ムーバと、
第二ムーバであって、前記Ｚ方向に光軸を有する第二レンズ体を収容するための第二貫通孔と、前記第二貫通孔を挟んだ位置で互いに平行に設けられる板状の一対の第二磁石と、を有する第二ムーバと、
前記Ｚ方向と直交する方向で互いに並置される前記第一ムーバと前記第二ムーバをそれぞれ前記Ｚ方向に移動可能に支持する板ばねと、を備え、
前記第一磁石及び前記第二磁石を構成する前記板状の磁石は、それぞれ板面方向に磁化されているとともにその磁化の向きは前記Ｚ方向の前側と後側とで逆転しており、
前記第一磁石は、その端面を前記第二ムーバに向けている
ことを特徴とするレンズ駆動装置。
【請求項２】
前記一対の第二磁石は、その端面を前記第一ムーバに向けていることを特徴とする請求項１に記載のレンズ駆動装置。
【請求項３】
前記一対の第二磁石のうちの一方の第二磁石は、その板面を前記第一ムーバに向けていることを特徴とする請求項１に記載のレンズ駆動装置。
【請求項４】
前記第一ムーバは、前記一対の第一磁石の間における第二ムーバの反対側に磁気位置検知装置を有することを特徴とする請求項３に記載のレンズ駆動装置。
【請求項５】
前記第一磁石の端面に強磁性体を設けたことを特徴とする請求項１に記載のレンズ駆動装置。
【請求項６】
請求項１に記載のレンズ駆動装置と、前記第一レンズ体及び前記第二レンズ体と、を備えたカメラ装置。
【請求項７】
請求項６に記載のカメラ装置を備えた電子機器。
【発明の詳細な説明】
【技術分野】
【０００１】
本発明は、スマートフォン等の電子機器に用いられるレンズ駆動装置、カメラ装置、及び電子機器に関する。
【背景技術】
【０００２】
二つ以上のレンズ駆動装置を有するカメラモジュール、所謂、デュアルカメラの実用化が進められている。デュアルカメラのレンズ駆動装置に関わる技術を開示した文献として、特許文献１がある。特許文献１のレンズ駆動装置は、２つのレンズ支持体を並列に対称に配置し、それぞれのレンズ支持体における貫通孔を挟んだ位置に一組の磁石を配置し、この磁石と対向する位置のフレームにコイルを配置し、ボールを用いてレンズ支持体を光軸方向に案内するものである。
【先行技術文献】
【特許文献】
【０００３】
【特許文献１】中国実用新案ＣＮ２０６０３９１１５Ｕ公報
【発明の概要】
【発明が解決しようとする課題】
【０００４】
しかしながら、特許文献１の技術のように、磁石をレンズ支持体（ムーバ）に配置し、通常の板ばねで支持されるムーバを並置するレンズ駆動装置を構成しようとする場合、２つのムーバにそれぞれ配置された磁石が干渉しあうという問題があった。
【０００５】
本発明は、このような課題を解決するものであり、磁石をムーバに配置する方式のレンズ駆動装置において、並置された２つのムーバを板ばねで支持する構成を採用したとしても磁石の干渉が少ないレンズ駆動装置、カメラ装置、及び電子機器を提供することを目的とする。
【課題を解決するための手段】
【０００６】
上記課題を解決するために、本発明の好適な態様であるレンズ駆動装置は、第一ムーバであって、Ｚ方向に光軸を有する第一レンズ体を収容するための第一貫通孔と、前記第一貫通孔を挟んだ位置で互いに平行に設けられる板状の一対の第一磁石と、を有する第一ムーバと、第二ムーバであって、前記Ｚ方向に光軸を有する第二レンズ体を収容するための第二貫通孔と、前記第二貫通孔を挟んだ位置で互いに平行に設けられる板状の一対の第二磁石と、を有する第二ムーバと、前記Ｚ方向と直交する方向で互いに並置される前記第一ムーバと前記第二ムーバをそれぞれ前記Ｚ方向に移動可能に支持する板ばねと、を備え、前記第一磁石及び前記第二磁石を構成する前記板状の磁石は、それぞれ板面方向に磁化されているとともにその磁化の向きは前記Ｚ方向の前側と後側とで逆転しており、前記第一磁石は、その端面を前記第二ムーバに向けていることを特徴とする。
【０００７】
この態様において、前記一対の第二磁石は、その端面を前記第一ムーバに向けていてもよい。
【０００８】
また、前記一対の第二磁石のうちの一方の第二磁石は、その板面を前記第一ムーバに向けていてもよい。
【０００９】
また、前記第一ムーバは、前記一対の第一磁石の間における第二ムーバの反対側に磁気位置検知装置を有してもよい。
【００１０】
また、前記第一磁石の端面に強磁性体を設けてもよい。
【００１１】
本発明の別の好適な態様であるカメラ装置は、上記のレンズ駆動装置と、前記第一レンズ体及び前記第二レンズ体と、を備えたものである。
【００１２】
本発明の別の好適な態様である電子機器は、上記のカメラ装置を備えたものである。
【発明の効果】
【００１３】
本発明では、前記第一磁石及び前記第二磁石を構成する前記板状の磁石は、それぞれ板面方向に磁化されているとともにその磁化の向きは前記Ｚ方向の前側と後側とで逆転している。よって、第一磁石及び第二磁石から出る磁力線の範囲を従来のものに比べて小さくできる。また、第一ムーバの第一磁石は、その端面を第二ムーバに向けている。よって、第一ムーバの第一磁石から第二ムーバへの影響を小さくできるとともに、第二ムーバの第二磁石から第一ムーバへの影響も小さくできる。従って、本発明によると、並置された二つのムーバを板ばねで枠体に支持する構成を採用したレンズ駆動装置における磁石同士の干渉を起りにくくすることができる。
【図面の簡単な説明】
【００１４】
【図１】本発明の一実施形態であるレンズ駆動装置８を含むカメラ装置７が搭載された電子機器であるスマートフォン６の正面図である。
【図２】図１のレンズ駆動装置８の斜視図である。
【図３】図１のレンズ駆動装置８を分解した斜視図である。
【図４】図３の第一磁石５１、及び第二磁石５２の板面に磁極を示す印を記した図である。
【図５】図１のレンズ駆動装置８のカバー９０、第一ＦＰＣ８１、及び第二ＦＰＣ８２の斜視図である。
【図６】図５を矢印Ｂ方向から見た図である。
【図７】（Ａ）は、図３の第一ＦＰＣ８１を矢印Ａ方向から見た図、（Ｂ）は、第一ＦＰＣ８１における一対の第一コイル６１からコイル接続端子８１６に至る引出線５の配置を示す図である。
【発明を実施するための形態】
【００１５】
以下、図面を参照しつつ本発明の実施形態を説明する。図１に示すように、カメラ装置７は、スマートフォン６の筐体の開口に搭載されている。カメラ装置７は、レンズ駆動装置８と、第一レンズ体１及び第二レンズ体２と、被写体から第一レンズ体１及び第二レンズ体２を経由して入射する光を画像信号に変換する画像センサ（図示せず）と、を有する。カメラ装置７は、レンズ駆動装置８に搭載される第一レンズ体１及び第二レンズ体２を個別に駆動して、被写体を撮影する。以下では、第一レンズ体１及び第二レンズ体２の光軸に沿った光軸方向を適宜Ｚ方向といい、Ｚ方向と直交する一方向を適宜Ｘ方向といい、Ｚ方向及びＸ方向の両方と直交する方向を適宜Ｙ方向という。また、第一レンズ体１及び第二レンズ体２の光軸の被写体側を前側と称し、被写体と反対側の画像センサが設けられている側を後側と称することがある。
【００１６】
レンズ駆動装置８は、第一レンズ体１を駆動するための第一レンズ駆動ユニット９１と、第二レンズ体２を駆動するための第二レンズ駆動ユニット９２と、第一レンズ駆動ユニット９１及び第二レンズ駆動ユニット９２全体を覆うカバー９０を有する。カバー９０は、非磁性の素材からなる箱状の部材である。カバー９０の前板は、Ｘ方向に延在している。カバー９０の前板には、貫通孔９１１及び９２１がある。貫通孔９１１及び９２１は、真円の円周上の４点を外側に凸ませたような形状を有している。貫通孔９１１及び９２１は、カバー９０のＸ方向の真中から両側に同じ距離だけ離れている。
【００１７】
カバー９０におけるＸ方向に向かい合う２つの板の各々には、貫通孔９１２及び９２２がある。貫通孔９１２及び９２２は、後述する第一ＦＰＣ８１及び第二ＦＰＣ８２との接着に用い、強度を確保する。
【００１８】
カバー９０のＹ方向に向かい合う２つの板のうちの一方の板には、２つの貫通孔９１３及び９２３がある。貫通孔９１３及び９２３は、後述する第一枠２１及び第二枠との接着に用い、強度を確保する。
【００１９】
カバー９０のＹ方向の他方の板には、当該板の後側の縁から前側に向かって凹んだ２つの凹部９１５及び９２５がある。この凹部９１５及び９２５に、後述する第一ＦＰＣ８１の外部接続端子部８１５及び第二ＦＰＣ８２の第二外部接続端子部８２５の一部が配置される。この凹部９１５及び９２５によって、外部接続端子部８１５の各端子及び第二外部接続端子部８２５の各端子がカバー９０と接触しない。凹部９１５及び９２５は、カバー９０のＸ方向の真中から両側に同じ距離だけ離れている。
【００２０】
第一レンズ駆動ユニット９１及び第二レンズ駆動ユニット９２は、底板７１及び７２に第一枠２１及び第二枠２２を載置してそれぞれ収容空間を形成し、この収容空間内に第一ムーバ１１及び第二ムーバ１２が配置されて構成される。第一枠２１及び第二枠２２には第一コイル６１及び第二コイル６２が取り付けられる。第一ムーバ１１及び第二ムーバ１２は、第一レンズ体１を取り付けるための第一レンズキャリア１０１と第一レンズキャリア１０１に取り付けられる第一磁石５１、及び第二レンズ体２を取り付けるための第二レンズキャリア１０２と第二レンズキャリア１０２に取り付けられる第二磁石５２を有する。第一ムーバ１１及び第二ムーバ１２は、第一前側板ばね３１と第一後側板ばね４１及び第二前側板ばね３２と第二後側板ばね４２で、Ｚ方向に移動自在に支持される。第一枠２１及び第二枠２２には、さらに第一ＦＰＣ８１及び第二ＦＰＣ８２が装着される。
【００２１】
図３〜図７を用いて、第一レンズ駆動ユニット９１及び第二レンズ駆動ユニット９２の各部の構成について、詳細に説明する。底板７１及び７２は、略正方形状の板である。底板７１及び７２は、Ｘ方向に並べられている。底板７１及び７２の中心には、貫通孔７１１及び７１２が穿設されている。底板７１の貫通孔７１１の外周を囲む部分及び底板７２の貫通孔７１２の外周を囲む部分は円縁部７２１及び７２２として前側に突出している。底板７１及び７２の４辺には、それぞれ内側に凹んだ４つの凹部７１３及び４つの凹部７２３がある。底板７１及び７２における貫通孔７１１及び７１２の後側には、画像センサがそれぞれ固定される。
【００２２】
第一レンズキャリア１０１及び第二レンズキャリア１０２は、四角柱体の角部をＺ方向からみた輪郭が八角形となるように面取りしたような形状をなしている。第一レンズキャリア１０１及び第二レンズキャリア１０２の中心には、第一貫通孔１１１及び第二貫通孔１２１がある。第一貫通孔１１１及び第二貫通孔１２１は、第一レンズ体１及び第二レンズ体２を収容するためのものである。
【００２３】
第一レンズキャリア１０１及び第二レンズキャリア１０２における角部の面取り部とＸ方向に対向する２つの端面との境界を占める各部分は、凹部１１３及び１２３として貫通孔１１１及び１１２の側に凹んでいる。凹部１１３及び１２３の底面は、Ｙ方向と平行になっている。
【００２４】
第一レンズキャリア１０１における第一貫通孔１１１をＹ方向の両側から囲む部分の外周面は、凹部１１５として第一貫通孔１１１の側に凹んでいる。第二レンズキャリア１０２における第二貫通孔１２１をＹ方向の両側から囲む部分の外周面は、凹部１２５として第二貫通孔１２１の側に凹んでいる。一対の凹部１１５及び１２５の各々の底には、Ｘ方向と平行な中央底面と、中央底面のＸ方向の両端辺から内側に折れ曲がって延在する側底面とがある。
【００２５】
枠体２０は、第一ムーバ１１及び第二ムーバ１２を保持する役割を果たすものである。枠体２０は、４つの板を方形状に形成した第一枠２１及び第二枠２２を有する。枠体２０の第一枠２１及び第二枠２２は、底板７１及び７２に載置、固定されてＸ方向に並べられ、枠体２０は全体として長四角形状をなしている。枠体２０の第一枠２１及び第二枠２２には、第一ムーバ１１及び第二ムーバ１２がＸ方向で互いに並置される。枠体２０における第一ムーバ１１及び第二ムーバ１２を挟んでＸ方向に対向する２つの板の各々には、矩形状の開口２１２及び２２２が穿設されている。
【００２６】
第一枠２１における第一ムーバ１１を挟んでＹ方向に対向する２つの板の各々には、矩形状の開口２１３が穿設されており、これら一対の開口２１３の各々には、長辺芯棒２１５が架設されている。長辺芯棒２１５は、開口２１３を跨いでＸ方向に延伸している。長辺芯棒２１５のＸ方向の各端部は、開口２１３を挟んでＸ方向に離間した両矩形板片のＺ方向の真中の位置の外壁面に設けられている。第一枠２１のＹ方向に対向する２つの板の−Ｘ方向端部と長辺芯棒２１５の一端との間には、案内溝２１９が設けられている。
【００２７】
第二枠２２における第二ムーバ１２を挟んでＹ方向に対向する２つの板の各々には、矩形状の開口２２３が穿設されており、これら一対の開口２２３の各々には、長辺芯棒２２５が架設されている。長辺芯棒２２５は、開口２２３を跨いでＸ方向に延伸している。長辺芯棒２２５のＸ方向の各端部は、開口２２３を挟んでＸ方向に離間した両矩形板片のＺ方向の真中の位置の外壁面に設けられている。第二枠２２のＹ方向に対向する２つの板の＋Ｘ方向端部と長辺芯棒２２５の一端との間には、案内溝２２９が設けられている。
【００２８】
第一枠２１における第一ムーバ１１を挟んでＹ方向に対向する２つの板の各々の後側の縁の部分には、長辺縁部２１６が設けられている。爪部２１７が、一方の長辺縁部２１６から後側に突出している。第二枠２２における第二ムーバ１２を挟んでＹ方向に対向する２つの板の各々の後側の縁の部分には、長辺縁部２２６が設けられている。爪部２２７が、長辺縁部２１６と同じ側の長辺縁部２２６から後側に突出している。
【００２９】
爪部２１７及び２２７のＸ方向の寸法は、後述する第一ＦＰＣ８１の外部接続端子部８１５及び第二ＦＰＣ８２の第二外部接続端子部８２５のＸ方向の寸法よりやや大きい。長辺縁部２１６及び２２６のＸ方向の各端部は、板のＸ方向の各端部の外側に食み出している。爪部２１７及び２２７がある側の長辺縁部２１６及び２２６のＹ方向の突出量は、同じ側の長辺芯棒２１５及び２２５のＹ方向の突出量とほぼ同じである。
【００３０】
第一枠２１及び第二枠２２の４つの板の前側の縁には、四環縁部２１８及び２２８が設けられている。四環縁部２１８及び２２８のＹ方向の突出量は、長辺芯棒２１５及び２２５の突出量よりも大きい。また、爪部２１７及び２２７がない側の長辺縁部２１６及び２２６のＹ方向の突出量は、同じ側の四環縁部２１８及び２２８のＹ方向の突出量とほぼ同じである。
【００３１】
第一磁石５１及び第一コイル６１は、第一ムーバ１１の駆動力を生み出す役割を果たすものであり、第二磁石５２及び第二コイル６２は、第二ムーバ１２の駆動力を生み出す役割を果たすものである。
【００３２】
一対の第一磁石５１は、第一レンズキャリア１０１における第一貫通孔１１１を挟んだ位置で互いに平行に設けられている。第一磁石５１の各々は、２つの磁石片５１１及び５１２をＺ方向に重ねて貼り合わせて板状にしたものである。一対の第二磁石５２は、第二レンズキャリア１０２における第二貫通孔１２１を挟んだ位置で互いに平行に設けられている。第二磁石５２の各々は、２つの磁石片５２１及び５２２をＺ方向に重ねて貼り合わせて板状にしたものである。第一磁石５１及び第二磁石５２は、第一レンズキャリア１０１の凹部１１５及び第二レンズキャリア１０２の凹部１２５に、収容、固定される。
【００３３】
第一磁石５１の磁石片５１１及び５１２、並びに、第二磁石５２の磁石片５２１及び５２２は、それぞれ板面方向に磁化されているともに板面方向の磁化の向きは、Ｚ方向の前側と後側で逆転している。即ち、磁石片５１１と５１２では磁化の向きが逆であり、磁石片５２１と５２２では磁化の向きが逆である。より具体的に説明すると、図４に示すように、一対の第一磁石５１の各々における前側の磁石片５１１は、内側の板面がＳ極に、外側の板面がＮ極に、それぞれ磁化されており、後側の磁石片５１２は、内側の板面がＮ極に、外側の板面がＳ極に、それぞれ磁化されている。一対の第二磁石５２の各々における前側の磁石片５２１は、内側の板面がＳ極に、外側の板面がＮ極に、それぞれ磁化されており、後側の磁石片５２２は、内側の板面がＮ極に、外側の板面がＳ極に、それぞれ磁化されている。また、このように、二つの磁石片５１１と５１１、５１２と５１２、５２１と５２１、及び５２２と５２２の同じ磁極同士が対向することが望ましい。なお、第一磁石５１及び第二磁石５２は、それぞれ一枚の板状磁石を上記の説明のように着磁したものとしても構わない。
【００３４】
第一コイル６１及び第二コイル６２は、Ｘ方向に延びる直線部とこれらを繋ぐ半円部とを有する。第一コイル６１は、枠体２０の両長辺芯棒２１５に巻回固定されており、第二コイル６２は、枠体２０の両長辺芯棒２２５に巻回固定されている。
【００３５】
第一レンズキャリア１０１における一対の第一磁石５１の間であって、第二ムーバ１２のある側と反対側の板の凹部１１３の１つには、第一位置検知用磁石５９１が収められている。第二レンズキャリア１０２における一対の第二磁石５２の間であって、第一ムーバ１１のある側と反対側の板の凹部２２３の１つには、第二位置検知用磁石が収められている。
【００３６】
第一前側板ばね３１と第一後側ばね４１の対、及び第二前側板ばね３２と第二後側ばね４２の対は、第一ムーバ１１及び第二ムーバ１２を移動可能に支持する。第一前側板ばね３１と第一後側板ばね４１、及び第二前側板ばね３２と第二後側板ばね４２は、枠体２０に固定される外側部と、第一レンズキャリア１０１及び第二レンズキャリア１０２に固定される内側部と、外側部の一角から内側部に向かって延伸する各四本の腕部とを有する。
【００３７】
第一前側板ばね３１及び第二前側板ばね３２の外側部の４つの角部は、第一枠２１及び第二枠２２の前側面の４つの角部に固定されており、第一後側板ばね４１及び第二後側板ばね４２の外側部の４つの角部は、第一枠２１及び第二枠２２の後側面の４つの角部に固定されている。第一前側板ばね３１及び第二前側板ばね３２の内側部は、第一レンズキャリア１０１及び第二レンズキャリア１０２の前側面に固定されており、第一後側板ばね４１及び第二後側板ばね４２の内側部は、第一レンズキャリア１０１及び第二レンズキャリア１０２の後側面に固定されている。
【００３８】
第一コイル６１は、第一ムーバ１１が有する第一磁石５１と僅かな隙間をあけて平行に対面している。また、第二コイル６２は、第二ムーバ１２が有する第二磁石５２と僅かな隙間をあけて平行に対面している。また、このとき、二つの第一磁石５１の一方の端面は、＋Ｘ方向、即ち、第二ムーバ１２を向いている。第二磁石５２は、その端面を第二ムーバ１２に向けている。
【００３９】
第一ＦＰＣ８１及び第二ＦＰＣ８２は、スマートフォン６の基板から与えられる電流を、第一コイル６１、第二コイル６２、及び画像センサに供給する役割を果たすものである。図３に示すように、第一ＦＰＣ８１は、第一面部８１１と第二面部８１２とを有し、第二ＦＰＣ８２は、第三面部８２１と第四面部８２２とを有する。第一面部８１１と第二面部８１２、及び第三面部８２１と第四面部８２２は、Ｚ方向から見た輪郭がＬ字をなすように、端部において交差している。
【００４０】
一対の第一コイル６１のうちの一方の後側では、第一ＦＰＣ８１の外部接続端子部８１５が爪部２１７と外側から対面するように設けられている。第一ＦＰＣ８１の第一面部８１１は、外部接続端子部８１５から前側に立ち上がり、当該一方の第一コイル６１の外側を覆っている。第二面部８１２は、第一面部８１１から直角方向（Ｙ方向）に延出して枠体２０の前記長四角形状の短辺側に相当する第一枠２１の外側を覆っている。図７（Ａ）に示すように、第一面部８１１と第二面部８１２の境界部分の前端部及び後端部には、切欠き８１８及び８１９がある。第二面部８１２の外周面側には、コイル接続端子８１６が設けられている。コイル接続端子８１６は、それぞれの第一コイル６１に近い側の第二面部８１２の端部に、Ｚ方向に二つずつ並べて配置されている。
【００４１】
一対の第二コイル６２のうちの一方の後側では、第二ＦＰＣ８２の第二外部接続端子８２５が爪部２２７と外側から対面するように設けられている。第二ＦＰＣ８２の第三面部８２１は、第二外部接続端子部８２５から前側に立ち上がり、当該一方の第二コイル６２の外側を覆っている。第四面部８２２は、第三面部８２１から直角方向（Ｙ方向）に延出して枠体２０の前記長四角形状の短辺側に相当する第二枠２２の外側を覆っている。第三面部８２１と第四面部８２２の境界部分の前端部及び後端部には、切欠きがある。第四面部８２２の外周面側には、第二コイル接続端子が設けられている。コイル接続端子８２６は、それぞれの第二コイル６２に近い側の第二面部８２２の端部に、Ｚ方向に二つずつ並べて配置されている。
【００４２】
外部接続端子部８１５及び第二外部接続端子部８２５には、スマートフォン６の基板に電気接続される複数の端子が設けられている。第一ＦＰＣ８１の外部接続端子部８１５と第二ＦＰＣ８２の第二外部接続端子部８２５とは、Ｘ方向に直列に配置されている。これにより、スマートフォン６の基板側の配線が容易になる。
【００４３】
図２及び図５に示すように、第一ＦＰＣ８１の外部接続端子部８１５及び第二ＦＰＣ８２の第二外部接続端子部８２５は、カバー９０の凹部９１５及び９２５から外周面側に露出している。図６に示すように、第一ＦＰＣ８１の第一面部８１１及び第二面部８１２、並びに第二ＦＰＣ８２の第三面部８２１及び第四面部８２２の外周面は、カバー９０の内周面に沿って配置される。
【００４４】
図７（Ｂ）に示すように、一対の第一コイル６１のうち第一面部８１１のある側の第一コイル６１の引出線５は、枠体２０の案内溝２１９を通過し、切欠き８１８及び８１９を超えて、外周面側に引き出され、コイル接続端子８１６に接合される。一対の第一コイル６１のうち第一面部８１１のある側と反対側の他方の第一コイル６１の引出線５は、第二面部８１２における当該他方の第一コイル６１の側の端部を超えて、外周面側に引き出され、コイル接続端子８１６に接合されている。同様に、一対の第二コイル６２のうち第三面部８２１のある側の第二コイル６２の引出線５は、枠体２０の案内溝２２９を通過し、切欠きを超えて、外周面側に引き出され、第二コイル接続端子に接合される。一対の第二コイル６２のうち第三面部８２１のある側と反対側の他方の第二コイル６２の引出線５は、第四面部８２２における当該他方の第二コイル６２の側の端部を超えて、外周面側に引き出され、第二コイル接続端子に接合されている。
【００４５】
スマートフォン６において、第一レンズ体１又は第二レンズ体２の駆動を指示する操作がされると、スマートフォン６の基板から第一ＦＰＣ８１の外部接続端子部８１５又は第二ＦＰＣ８２の第二外部接続端子部８２５に電流が供給される。第一ＦＰＣ８１の外部接続端子部８１５に供給された電流は、第一ＦＰＣ８１のコイル接続端子８１６から第一コイル６１に供給される。第一コイル６１に電流が流れると、第一コイル６１にＺ方向の推力が発生し、第一ムーバ１１が第一レンズ体１と一緒にＺ方向に動く。第二ＦＰＣ８２の第二外部接続端子部８２５に供給された電流は、第二ＦＰＣ８２の第二コイル接続端子から第二コイル６２に供給される。第二コイル６２に電流が流れると、第二コイル６２にＺ方向の推力が発生し、第二ムーバ１２が第二レンズ体２と一緒にＺ方向に動く。
【００４６】
図７（Ａ）に示すように、第一ＦＰＣ８１の第二面部８１２の内周面側における、第一ムーバ１１内の第一位置検知用磁石５９１に臨む位置には、第一位置検知センサ６９１が固定されている。第一ＦＰＣ８１の第二面部８１２が、第一枠２１の外周を覆った状態において、第一位置検知センサ６９１は、第一枠２１の開口２１２に収容される。同様に、第二ＦＰＣ８２の第四面部８２２の内周面側における、第二ムーバ１２内の第二位置検知用磁石に臨む位置には、第二位置検知センサが固定されている。第二ＦＰＣ８２の第四面部８２２が、第二枠２２の外周を覆った状態において、第二位置検知センサは、第二枠２２の開口２２２に収容される。
【００４７】
第一位置検知センサ６９１は、第一位置検知用磁石５９１とともに、枠体２０内における第一ムーバ１１の位置を検知する磁気位置検知機構を構成する。第二位置検知センサは、第二位置検知用磁石とともに、枠体２０内における第二ムーバ１２の位置を検知する磁気位置検知機構を構成する。具体的には、第一位置検知センサ６９１及び第二位置検知センサは、例えば、ホール素子が用いられ、第一ムーバ１１及び第二ムーバ１２の移動にともなう第一位置検知用磁石５９１及び第二位置検知用磁石による磁界の変化を基に、第一ムーバ１１及び第二ムーバ１２の位置を検知し、この位置を示す信号を出力する。
【００４８】
図３に示すように、第二ＦＰＣ８２の第四面部８２２の内周面側における第二位置検知センサの近傍には、コンデンサ８９２が固定されている。同様に、第一ＦＰＣ８１の第二面部８１２の内周面側における第一位置検知センサ６９１の近傍には、コンデンサが固定されている。
【００４９】
以上が、本実施形態の構成の詳細である。本実施形態によると、次の効果が得られる。本実施形態では、第一磁石５１を構成する板状の磁石片５１１及び５１２、並びに第二磁石５２を構成する板状の磁石片５２１及び５２２は、それぞれ板面方向に磁化されているとともにその磁化の向きがＺ方向の前側と後側とで逆転している。よって、第一磁石５１及び第二磁石５２から出る磁力線の範囲を従来のものに比べて小さくできる。そして、本実施形態では、第一ムーバ１１の第一磁石５１は、その端面を第二ムーバ１２に向けている。よって、第一ムーバ１１の第一磁石５１から第二ムーバ１２への影響を小さくでき、第二ムーバ１２から受ける第一磁石５１への影響も小さくできる。このため、本実施形態によると、並置された２つのムーバを板ばねで枠体２０に支持する構成を採用したレンズ駆動装置８における磁石同士の干渉を起りにくくすることができる。本実施形態ではさらに、第二ムーバ１２の第二磁石５２は、その端面を第一ムーバ１１に向けている。そのため、第二ムーバ１２の第二磁石５２から第一ムーバ１１への影響を小さくでき、第一ムーバ１１から受ける第二磁石５２への影響も小さくできる。よって、さらに磁石同士の干渉を起りにくくすることができる。
【００５０】
また、本実施形態では、第一ＦＰＣ８１は、２つのコイル６１のうちの一方の後側に設けられた外部接続端子部８１５と、外部接続端子部８１５から立ち上がり一方のコイル６１の外周に設けられる第一面部８１１と、第一面部８１１から直角方向に延出して枠体２０の外周に設けられた第二面部８１２と、を有し、コイル接続端子８１６は、第二面部８１２の外周面側に設けられる、という構成になっている。また、第二ＦＰＣ８２は、２つのコイル６２のうちの一方の後側に設けられた第二外部接続端子部８２５と、第二外部接続端子部８２５から立ち上がり一方のコイル６２の外周に設けられる第三面部８２１と、第三面部８２１から直角方向に延出して枠体２０の外周に設けられた第四面部８２２と、を有し、第二コイル接続端子は、第四面部８２２の外周面側に設けられる、という構成になっている。このような構成にしたことにより、従来技術のような３つの面部を必要とせずに、ＦＰＣを２つの面部で構成できる。そのため、枠体２０とＦＰＣをマッチングしやすく、組み立てもしやすいレンズ駆動装置８を提供することができる。
【００５１】
なお、本実施形態において、第一ＦＰＣ８１の第一面部８１１と第二面部８１２の境界部分、及び第二ＦＰＣ８２の第三面部８２１と第四面部８２２の境界部分の前端部だけに切欠きを設けてもよいし、境界部分の後端部だけに切欠きを設けてもよい。また、第一ＦＰＣ８１と第二ＦＰＣ８２は、一体に形成されてもよい。その場合においても、第一ＦＰＣ８１及び第二ＰＣ８２の寸法精度の影響を受けないので、第一コイル６１及び第二コイル６２の取り付け位置は良好な精度を保つ。
【００５２】
また、本実施形態において、第一磁石５１又は第二磁石５２の端面に、強磁性体を設けてもよい。これによって、第一磁石５１の端面又は第二磁石５２の端面から出る磁力線の範囲をさらに小さくできる。
【００５３】
また、本実施形態において、位置検知センサと位置検知用磁石とからなる磁気位置検知機構を、光学素子を利用した位置検知機構、または、渦電流を利用した位置検知機構などの、ムーバの位置を検知する他の位置検知素子を用いた機構によって置き換えてもよい。
【００５４】
また、本実施形態において、第一磁石５１がその端面を第二ムーバ１２に向けていれば、第二磁石５２がその端面を第一ムーバ１１に向ける必要はない。例えば、第一レンズ駆動ユニット９１をそのままに、第二レンズ駆動ユニット９２を９０度回転させるような構成としてもよい。その場合、一対の第二磁石５２うちの一方の第二磁石５２は第一ムーバ１１に近い側で第一磁石５１に対して直交するように配置され、他方の第二磁石５２は第一ムーバ１１から遠い側で第一磁石５１に対して直交するように配置される。即ち、第二磁石５２は、その板面を第一ムーバ１１に向けている。この場合においても、二つの第一磁石５１のそれぞれの一方の端面は第二ムーバ１２側を向いており、一方の第二磁石５２の両端面にそれぞれ９０度の角度で対向することになる。そのため、第一磁石５１と第二磁石５２は互いに他方に対して影響を与えにくいし、他方からの影響を受けにくい。
【００５５】
その場合、第二ＦＰＣ８２は、第二外部接続端子部８２５と第三面部８２１があればよく、第四面部８２２を設ける必要はない。第二コイル接続端子８２６は第三面部８２１の両端に設けられる。第二外部接続端子部８２５は、第一外部接続端子部８２５と直列に配置される。第一位置検知センサ６９１は、第二磁石５２から離れている第二面部８１２に設けられることが望ましく、第二位置検知センサは第三面部８２１に設けられることが望ましい。
【００５６】
また、第二レンズ駆動ユニット９２の第二磁石５２は、四角形の第二枠２２の各辺部又は各角部に対応する位置の第二ムーバ１２に配置されてもよい。
【符号の説明】
【００５７】
１  第一レンズ体
２  第二レンズ体
５  引出線
６  スマートフォン
７  カメラ装置
８  レンズ駆動装置
９  レンズ駆動ユニット
１１  第一ムーバ
１２  第二ムーバ
２０  枠体
２１  第一枠
２２  第二枠
５１  第一磁石
５２  第二磁石
６１  第一コイル
６２  第二コイル
７１、７２  底板
８１  第一ＦＰＣ
８２  第二ＦＰＣ
９０  カバー
９１  第一レンズ駆動ユニット
９２  第二レンズ駆動ユニット
１０１  第一レンズキャリア
１０２  第二レンズキャリア
１１１  第一貫通孔
１１２、７１１、７１２、９１１、９２１  貫通孔
１１３、１１５、１２３、１２５、７１３、７２３、９１５、９２５  凹部
１２１  第二貫通孔
２１２、２１３、２２２、２２３  開口
２１５、２２５  長辺芯棒
２１６、２２６  長辺縁部
２１７、２２７  爪部
２１８、２２８  四環縁部
２１９、２２９  案内溝
５１１、５１２、５２１、５２２  磁石片
５９１  第一位置検知用磁石
６９１  第一位置検知センサ
７２１、７２２  円縁部
８１１  第一面部
８１２  第二面部
８１５  外部接続端子部
８１６  コイル接続端子
８２１  第三面部
８２２  第四面部
８２５  第二外部接続端子部
【図１】
2020177235.tif 000003
【図２】
2020177235.tif 000004
【図３】
2020177235.tif 000005
【図４】
2020177235.tif 000006
【図５】
2020177235.tif 000007
【図６】
2020177235.tif 000008
【図７】
2020177235.tif 000009